(57)【要約】【課題】  １本の光信号により映像信号と音声信号の伝送と、この伝送と逆方向へのデータ送信とを行うことが出来るとともに、発光素子、受光素子、その他の回路部品の点数を減らして低コストに上記機能を実現することの出来るＡＶ信号の伝送装置および伝送方法を提供する。【解決手段】  第１通信機１０は、映像信号に応じてＬＥＤ１１の駆動信号を生成する駆動回路１２と、音声信号を周波数変調するとともにこの信号をパルス信号ＰＬＳ１に成形するＶＣＸＯ１６およびインバータ１３と、受光に基づくＬＥＤ１１からの受信信号を内部に取り込むＮＯＲ回路１７を備え、パルス信号ＰＬＳ１によりスイッチ回路１４を切り換えて送信期間と受信期間との切り換えを行う。また、第２通信機２０は、ＬＥＤ２１により第１通信機１０からの光信号を受信するとともに、この受信信号からパルス信号ＰＬＳ２を生成してこのパルス信号ＰＬＳ２により受信期間と送信期間との切り換えを行う。【選択図】        図１
2006332848.tif 000002
【特許請求の範囲】
【請求項１】
光信号によりコンポジット信号からなる映像信号とアナログの音声信号とを伝送する第１通信機と第２通信機とを有するＡＶ信号の伝送装置であって、
前記第１通信機は、
発光して光信号を出力するとともに外部から光を受光して電気信号に変換する第１発光ダイオードと、
前記映像信号を受けてこの信号振幅に応じた前記第１発光ダイオードの駆動信号を生成する駆動回路と、
前記映像信号の周波数帯域の上限周波数を上回る所定の周波数の搬送波を前記音声信号の電圧に応じて周波数変調する電圧制御発振器と、
該電圧制御発振器の出力電圧に応じてターンオン・ターンオフしてパルス信号を出力するスイッチング回路と、
受光に基づく前記第１発光ダイオードの受信信号を内部に取り込む入力回路とを備え、
前記パルス信号により前記第１発光ダイオードの駆動のオン・オフが切り替えられ、オン状態のときに前記第１発光ダイオードが駆動されて前記駆動信号に応じた発光がなされる一方、オフ状態のときに前記第１発光ダイオードの受信信号が前記入力回路に取り込まれるように構成され、
前記第２通信機は、
外部から光を受光して電気信号に変換するとともに発光して光信号を出力する前記第１発光ダイオードと同一素子構造の第２発光ダイオードと、
この第２発光ダイオードの受信信号から前記所定の周波数の帯域成分を除去する第１フィルタと、
前記第２発光ダイオードの受信信号から前記所定の周波数の帯域成分を抽出する第２フィルタと、
前記第２フィルタの出力に対して周波数変調されている信号を検波する復調回路と、
前記所定の周波数と同一周波数又はそれより低い周波数に相当するビットレートのデジタル送信信号を受けてこの信号と前記第２発光ダイオードの受信信号とに基づいて前記第２発光ダイオードを駆動する論理回路とを備え、
前記論理回路は、前記第２発光ダイオードの受信信号の大きさが閾値以下のときに前記デジタル送信信号に応じて前記第２発光ダイオードを駆動する一方、前記第２発光ダイオードの受信信号の大きさが閾値以上のときに前記第２発光ダイオードを駆動しないように構成されていることを特長とするＡＶ信号の伝送装置。
【請求項２】
映像信号および音声信号を光信号により伝送する第１通信機と第２通信機とを備えたＡＶ信号の伝送装置であって、
前記第１通信機は、
発光して光信号を出力するとともに外部から光を受光して電気信号に変換する第１発光ダイオードと、
アナログの映像信号を受けてこの信号振幅に応じた前記第１発光ダイオードの駆動信号を生成する駆動回路と、
前記映像信号の周波数帯域の上限周波数を上回る所定の周波数の搬送波を音声信号により所定の変調方式で変調したパルス信号を生成するパルス変調回路と、
受光に基づく前記第１発光ダイオードの受信信号を内部に取り込む入力回路とを備え、
前記パルス信号により前記第１発光ダイオードの駆動のオン・オフが切り替えられ、オン状態のときに前記第１発光ダイオードが駆動されて前記駆動信号に応じた発光がなされる一方、オフ状態のときに前記第１発光ダイオードの受信信号が前記入力回路に取り込まれるように構成され、
前記第２通信機は、
外部から光を受光して電気信号に変換するとともに発光して光信号を出力する第２発光ダイオードと、
この第２発光ダイオードの受信信号から前記所定の周波数の帯域成分を除去する第１フィルタ回路と、
前記第２発光ダイオードの受信信号から前記所定の周波数の帯域成分を抽出する第２フィルタ回路と、
前記第２フィルタの出力に対して前記所定の変調方式に対応した復調処理を行う復調回路と、
送信信号を受けてこの信号と前記第２発光ダイオードの受信信号とに応じて前記第２発光ダイオードを駆動する論理回路とを備え、
前記論理回路は、前記第２発光ダイオードの受信信号の大きさが閾値以下のときに前記送信信号に応じて前記第２発光ダイオードを駆動する一方、前記第２発光ダイオードの受信信号の大きさが閾値以上のときに前記第２発光ダイオードを駆動しないように構成されていることを特徴とするＡＶ信号の伝送装置。
【請求項３】
前記パルス変調回路は、
前記所定の周波数の搬送波を音声信号の電圧に応じて周波数変調する電圧制御発振器と、
該電圧制御発振器の出力電圧に応じてターンオン・ターンオフして前記パルス信号を生成するスイッチング回路と、
から構成されることを特徴とする請求項２記載のＡＶ信号の伝送装置。
【請求項４】
前記第１発光ダイオードと前記第２発光ダイオードとは同一素子構造の部品であることを特徴とする請求項２又は３に記載のＡＶ信号の伝送装置。
【請求項５】
前記映像信号はコンポジット信号であり、前記音声信号はアナログの音声信号であることを特徴とする請求項２〜４の何れかに記載のＡＶ信号の伝送装置。
【請求項６】
前記送信信号は、前記所定の周波数と同一周波数又はそれより低い周波数に相当するビットレートのデジタル信号であることを特徴とする請求項２〜５の何れかに記載のＡＶ信号の伝送装置。
【請求項７】
前記送信信号は、リモートコントローラのコントロール信号であることを特徴とする請求項６に記載のＡＶ信号の伝送装置。
【請求項８】
映像信号および音声信号を光信号により伝送するＡＶ信号の通信機であって、
発光して光信号を出力するとともに外部から光を受光して電気信号に変換する発光ダイオードと、
アナログの映像信号を受けてこの信号振幅に応じた前記発光ダイオードの駆動信号を生成する駆動回路と、
前記映像信号の周波数帯域の上限周波数を上回る周波数の搬送波を音声信号により所定の変調方式で変調したパルス信号を生成するパルス変調回路と、
受光に基づく前記発光ダイオードの受信信号を内部に取り込む入力回路とを備え、
前記パルス信号により前記発光ダイオードの駆動のオン・オフが切り替えられ、オン状態のときに前記発光ダイオードが駆動されて前記駆動信号に応じた発光がなされる一方、オフ状態のときに前記発光ダイオードの受信信号が前記入力回路に取り込まれるように構成されていることを特徴とするＡＶ信号の通信機。
【請求項９】
発光して光信号を出力するとともに外部から光を受光して電気信号に変換する第１発光ダイオードと、アナログの映像信号を受けてこの信号振幅に応じた前記第１発光ダイオードの駆動信号を生成する駆動回路と、前記映像信号の周波数帯域の上限周波数を上回る所定の周波数の搬送波を音声信号により所定の変調方式で変調したパルス信号を生成するパルス変調回路と、受光に基づく前記第１発光ダイオードの受信信号を内部に取り込む入力回路とを備え、前記パルス信号により前記第１発光ダイオードの駆動のオン・オフが切り替えられ、オン状態のときに前記第１発光ダイオードが駆動されて前記駆動信号に応じた発光がなされる一方、オフ状態のときに前記第１発光ダイオードの受信信号が前記入力回路に取り込まれるように構成された他の通信機から送られた光信号を受信して映像信号および音声信号を復調するＡＶ信号の通信機であって、
外部から光を受光して電気信号に変換するとともに発光して光信号を出力する第２発光ダイオードと、
この第２発光ダイオードの受信信号から前記所定の周波数の帯域成分を除去する第１フィルタ回路と、
前記第２発光ダイオードの受信信号から前記所定の周波数の帯域成分を抽出する第２フィルタ回路と、
この第２フィルタの出力に対して前記所定の変調方式に対応した復調処理を行う復調回路と
送信信号を受けてこの信号と前記第２発光ダイオードの受信信号とに応じて前記第２発光ダイオードを駆動する論理回路とを備え、
前記論理回路は、前記第２発光ダイオードの受信信号の大きさが閾値以下のときに前記送信信号に応じて前記第２発光ダイオードを駆動する一方、前記第２発光ダイオードの受信信号の大きさが閾値以上のときに前記第２発光ダイオードを駆動しないように構成されていることを特徴とするＡＶ信号の通信機。
【請求項１０】
映像信号および音声信号を光信号により伝送するＡＶ信号の伝送方法であって、
ＡＶ信号の送り側において、
アナログの映像信号の信号振幅に応じて変化する駆動信号を生成し、
前記映像信号の周波数帯域の上限周波数を上回る所定の周波数の搬送波を音声信号により所定の変調方式で変調してパルス信号を生成し、
前記パルス信号により第１発光ダイオードの駆動のオン・オフを切り替え、オン状態のときに前記駆動信号により第１発光ダイオードを駆動する一方、オフ状態のときに当該第１発光ダイオードの受光に基づく受信信号を入力し、
ＡＶ信号の受け側において、
前記第１発光ダイオードからの光信号を第２発光ダイオードで受けて電気信号に変換し、
前記第２発光ダイオードの受光に基づく受信信号から前記所定の周波数の帯域成分を除去して映像信号を抽出し、
当該第２発光ダイオードの受光に基づく受信信号から前記所定の周波数の帯域成分を抽出するとともに前記所定の変調方式に対応した復調方式で復調して音声信号を取り出し、
前記受信信号の大きさが閾値以下のときに送信信号に基づき前記第２発光ダイオードを駆動して当該送信信号を光出力することを特長とするＡＶ信号の伝送方法。
【発明の詳細な説明】
【技術分野】
【０００１】
この発明は、映像信号および音声信号を光信号で伝送するＡＶ信号の伝送装置ならびにＡＶ信号の伝送方法に関する。
【背景技術】
【０００２】
以前より、ＡＶ（audiovisual）信号を赤外線などにより離れたところの装置に伝送する技術について種々の提案がなされている。
【０００３】
例えば、特許文献１には、ＬＥＤの発光によりＡＶ信号を伝送してフォトダイオードにより受信する装置において、複数のＬＥＤの中から一番効率の良い方向を向いているＬＥＤを見つけ出してこのＬＥＤに発光信号を送信させる技術が開示されている。また、特許文献２には、映像信号や音声信号をＳＷＦＭ方式で変調し、それを光信号に変換して光ケーブルを介して伝送する技術が開示されている。また、特許文献３には、周波数分割多重により複数の映像信号を重畳して１本の光ケーブルで伝送する技術が開示されている。
【特許文献１】特開平９−２１４４３２号公報
【特許文献２】特開平６−２２４８８１号公報
【特許文献３】特開平６−４６０３４号公報
【発明の開示】
【発明が解決しようとする課題】
【０００４】
従来、映像信号と音声信号とを１本の光信号により伝送する場合には、映像信号と音声信号とを周波数分割多重等により１つの電気信号とし、この電気信号を光信号に変換して伝送する方式を用いるのが一般的である。
【０００５】
しかしながら、映像信号と音声信号とを周波数分割多重して伝送する方式では、周波数の異なる複数の信号を合成する回路が必要である。さらに、信号の伝送中は常に発光が行われた状態となるため消費電力も多くなるという課題がある。
【０００６】
ところで、映像信号や音声信号を光信号で伝送する伝送装置を用いて映像音声の視聴を行う場合、ユーザは光信号の受け側において映像音声の視聴を行い、チューナ装置やビデオ装置などの映像信号や音声信号を出力するＡＶ装置は光信号の送信側に離れて設置されるのが通常である。
【０００７】
このような装置配置において、ユーザがリモコン（リモートコントローラ）等でＡＶ装置を遠隔操作するような場合、ユーザは信号の受け側に居るため、遠くにあるＡＶ装置にリモコンを向けてボタン操作を行うよりも、近くにある伝送装置の受信機の側へリモコンを向けてボタン操作をしたほうが楽な姿勢で操作ができると考えられる。従って、ＡＶ信号を伝送する伝送装置においては、その受け側から送り側へリモコン信号などのデータ送信を行えるようにすると利便性が増す。
【０００８】
しかしながら、リモコン信号の送受信のためだけに発光素子や受光素子ならびに伝送装置の回路を大きく増設したのでは、機能の向上に比べて製品コストが大きく高騰してしまうという課題が生じる。
【０００９】
この発明の目的は、映像信号と音声信号とを１本の光信号で伝送するとともに、複数の信号を合成する加算回路を不要とするなど送信回路を単純化してコストの低減を図ることのできるＡＶ信号の伝送装置および伝送方法を提供することにある。
【００１０】
この発明のその他の目的は、例えばリモコン信号などの通信データをＡＶ信号とは逆方向に送信することを可能とするとともに、ＡＶ信号の伝送のみを行う伝送装置と比較して、発光素子や受光素子の増設も必要なく、回路構成もさほど複雑にならず、低コストに上記機能を実現することのできるＡＶ信号の伝送装置および伝送方法を提供することにある。
【課題を解決するための手段】
【００１１】
本発明は、上記目的を達成するため、映像信号および音声信号を光信号により伝送する第１通信機と第２通信機とを備えたＡＶ信号の伝送装置であって、前記第１通信機は、発光して光信号を出力するとともに外部から光を受光して電気信号に変換する第１発光ダイオードと、アナログの映像信号を受けてこの信号振幅に応じた前記第１発光ダイオードの駆動信号を生成する駆動回路と、前記映像信号の周波数帯域の上限周波数を上回る所定の周波数の搬送波を音声信号により所定の変調方式で変調したパルス信号を生成するパルス変調回路と、受光に基づく前記第１発光ダイオードの受信信号を内部に取り込む入力回路とを備え、前記パルス信号により前記第１発光ダイオードの駆動のオン・オフが切り替えられ、オン状態のときに前記第１発光ダイオードが駆動されて前記駆動信号に応じた発光がなされる一方、オフ状態のときに前記第１発光ダイオードの受信信号が前記入力回路に取り込まれるように構成され、前記第２通信機は、外部から光を受光して電気信号に変換するとともに発光して光信号を出力する第２発光ダイオードと、この第２発光ダイオードの受信信号から前記所定の周波数の帯域成分を除去する第１フィルタ回路と、前記第２発光ダイオードの受信信号から前記所定の周波数の帯域成分を抽出する第２フィルタ回路と、  前記第２フィルタの出力に対して前記所定の変調方式に対応した復調処理を行う復調回路と、送信信号を受けてこの信号と前記第２発光ダイオードの受信信号とに応じて前記第２発光ダイオードを駆動する論理回路とを備え、前記論理回路は、前記第２発光ダイオードの受信信号の大きさが閾値以下のときに前記送信信号に応じて前記第２発光ダイオードを駆動する一方、前記第２発光ダイオードの受信信号の大きさが閾値以上のときに前記第２発光ダイオードを駆動しない構成とした。
【００１２】
このような手段によれば、１本の光信号で映像信号と音声信号とを伝送することが出来るとともに、音声信号は第１発光ダイオードのオン・オフにより送信されるため、映像信号と音声信号とを１つの信号に重畳する加算回路などが不要となり、回路の部品点数を減らすことが出来る。また、音声信号により変調されたパルス信号により第１通信機側の発光ダイオードの駆動がオフにされたときに、ＡＶ信号とは逆方向に第２通信機から第１通信機へデータ等の送信を行うことが可能であり、さらに、このような逆方向の信号送信をＡＶ信号の伝送で用いている第１発光ダイオードと第２発光ダイオードの発光と受光機能とにより行うため、ＡＶ信号の伝送のみを行う伝送装置と比べて、発光素子や受光素子の増設が不要で、回路も複雑にならず、低コストに上記機能を実現することが出来る。
【００１３】
望ましくは、前記パルス変調回路は、前記所定の周波数の搬送波を音声信号の電圧に応じて周波数変調する電圧制御発振器と、該電圧制御発振器の出力電圧に応じてターンオン・ターンオフして前記パルス信号を生成するスイッチング回路と、から構成すると良い。
【００１４】
このような構成により、パルス変調回路を簡単な回路構成により実現でき、受信側もバンドパスフィルタやハイパスフィルタおよびＦＭ復調回路だけで音声信号の復調が可能となるなど、回路全体の単純化を図ることが出来る。
【００１５】
また望ましくは、前記第１発光ダイオードと前記第２発光ダイオードとは同一素子構造の部品であると良い。同一部品とすることで、部品の共通化によりさらに部品コストの低減を図ることが出来る。
【００１６】
具体的には、前記映像信号はコンポジット信号であり、前記音声信号はアナログの音声信号とすることが出来る。このような構成により、一般的に用いられている映像信号や音声信号をそのまま入力して１本の光信号で伝送し、受信機側でダイレクトにテレビ受像装置や録画装置等に出力することが出来る。
【００１７】
また望ましくは、前記送信信号は、前記所定の周波数と同一周波数又はそれより低い周波数に相当するビットレートのデジタル信号とすると良い。このような信号であれば、ＡＶ信号の受信信号に基づいて送信タイミングが切り替えられる構成であっても精度高く信号送信を行うことが出来る。
【００１８】
具体的には、前記送信信号は、リモートコントローラのコントロール信号とすることが出来る。このような構成により、本発明の伝送装置を用いて、例えば映像再生装置から離れた箇所のテレビ受像装置まで映像信号を伝送するような場合に、テレビ受像装置側にリモコン受光器を置いてその信号を伝送装置を介して映像再生装置へ送ることが出来る。すなわち、ユーザは近くの受光器にリモコンを向けて楽な姿勢でボタン操作を行うことが出来るという効果が得られる。
【００１９】
また、本発明のＡＶ信号の伝送方法は、ＡＶ信号の送り側において、アナログの映像信号の信号振幅に応じて変化する駆動信号を生成し、前記映像信号の周波数帯域の上限周波数を上回る所定の周波数の搬送波を音声信号により所定の変調方式で変調してパルス信号を生成し、前記パルス信号により第１発光ダイオードの駆動のオン・オフを切り替え、オン状態のときに前記駆動信号により第１発光ダイオードを駆動する一方、オフ状態のときに当該第１発光ダイオードの受光に基づく受信信号を入力し、ＡＶ信号の受け側において、前記第１発光ダイオードからの光信号を第２発光ダイオードで受けて電気信号に変換し、前記第２発光ダイオードの受光に基づく受信信号から前記所定の周波数の帯域成分を除去して映像信号を抽出し、当該第２発光ダイオードの受光に基づく受信信号から前記所定の周波数の帯域成分を抽出するとともに前記所定の変調方式に対応した復調方式で復調して音声信号を取り出し、前記受信信号の大きさが閾値以下のときに送信信号に基づき前記第２発光ダイオードを駆動して当該送信信号を光出力するものとした。
【００２０】
このような伝送方法によれば、ＡＶ信号の送信側と受信側とにそれぞれ１個ずつ設けられた発光ダイオードにより発光と受光とを行って、１本の光信号で映像信号と音声信号とを伝送するとともに、ＡＶ信号と逆方向へ例えばリモコン信号などの信号送信をあわせて行うことが出来る。さらに、音声信号で変調したパルス信号で発光ダイオードの駆動をオン・オフして音声信号を伝送するとともに、この発光ダイオードのオン・オフにより送信側および受信側において送信タイミングと受信タイミングの切り換えを行う構成なので、回路構成も複雑にならず、回路の部品点数を少なくして製品コストの低減を図ることが出来る。
【発明の効果】
【００２１】
以上説明したように、本発明に従うと、１本の光信号で映像信号と音声信号とを伝送することが出来るとともに、映像信号と音声信号とを１つの信号に重畳する加算回路などが不要となり、回路の部品点数を少なくできるという効果がある。
【００２２】
また、ＡＶ信号の送信側と受信側とにそれぞれ１個の発光ダイオードを設けて、これらによりＡＶ信号の伝送と、これと逆方向への信号送信とを実現するので、ＡＶ信号の伝送のみを行う伝送装置と比較して、発光素子や受光素子の増設が不要で、回路も複雑にならず、低コストに上記機能を実現できると云う効果がある。
【発明を実施するための最良の形態】
【００２３】
以下、本発明の実施の形態を図面に基づいて説明する。
【００２４】
図１は、本発明の実施の形態のＡＶ信号の伝送装置を示す回路構成図、図２は、この伝送装置の各部の信号を示す波形図である。
【００２５】
この実施の形態のＡＶ信号の伝送装置は、発光手段および受光手段として機能するＬＥＤ１１，２１をそれぞれ１個ずつ備えた第１通信機１０および第２通信機２０から構成される。そして、第１通信機１０から第２通信機２０へコンポジット信号とアナログの音声信号とが伝送され、第２通信機２０から第１通信機１０へデジタルデータ（例えばリモコンの操作信号）が送信されるようになっている。
【００２６】
第１通信機１０は、発光手段および受光手段として機能するＬＥＤ１１と、アナログ画像信号を受けてＬＥＤ１１の駆動電流を生成する駆動回路１２と、アナログの音声信号を受けるアンプ１５と、所定の周波数で発振するとともにアンプ１５の出力電圧に応じて周波数を変位させる電圧制御発振器としてのＶＣＸＯ（電圧制御水晶発振器）１６と、入力電圧に応じてターンオン・ターンオフしてパルス信号ＰＬＳ１を生成するインバータ１３と、このパルス信号ＰＬＳ１に応じて駆動回路１２とＬＥＤ１１との接続のオン・オフを切り替えるスイッチ回路１４と、インバータ１３からのパルス信号ＰＬＳ１とＬＥＤ１１からの受信信号を入力して第２通信機２０から送られてきた送信データを取り込む入力回路としてのＮＯＲ回路とを備え、ＬＥＤ１１のカソードがＮＯＲ回路１７の入力端子、ならびに、スイッチ回路１４を介して駆動回路１２の出力端子にそれぞれ接続され、ＬＥＤ１１のアノードがインバータ１３の出力端子に接続された構成となっている。
【００２７】
ＶＣＸＯ１６は、発振信号の中心周波数が例えば十数ＭＨｚのもので、図２（Ｂ）に示すようにアンプ１５からの音声信号により周波数変調がなされたＦＭ信号を出力する。ＶＣＸＯ１６の発振周波数は、コンポジット信号（図２（Ａ））の周波数帯域（０〜４．２ＭＨｚ）の上限周波数の２倍以上の大きさである。なお、ＶＣＸＯ１６の中心周波数は１０ＭＨｚ〜３０ＭＨｚ程度であれば何れの周波数を用いても良い。
【００２８】
インバータ１３は、その閾値電圧がＶＣＸＯ１６の出力の中心電圧とほぼ同程度に設定されており、図２（Ｃ）に示すように、ＶＣＸＯ１６の発振信号を受けてこの発振信号と同一周波数でデューティ比がほぼ１／２のパルス信号ＰＬＳ１を出力する。なお、閾値電圧を上げてデューティ比を少し小さくしたり、閾値電圧を下げてデューティ比を少し大きくしても同様の伝送処理が実現可能である。
【００２９】
このインバータ１３から出力されるパルス信号ＰＬＳ１は、第１通信機１０において送信期間と受信期間とを切り替えるように作用するものである。すなわち、パルス信号ＰＬＳ１がハイレベルのときが第１通信機１０の送信期間、パルス信号ＰＬＳ１がロウレベルのときが第１通信機１０の受信期間とされる。
【００３０】
スイッチ回路１４は、例えばバイポーラトランジスタやＦＥＴなどから構成され、上記パルス信号ＰＬＳ１がハイレベルのときに駆動回路１２とＬＥＤ１１との接続をオンとし、ロウレベルのときに接続をオフとする。
【００３１】
このような構成により、図２（Ａ）〜（Ｄ）の信号波形に示すように、パルス信号ＰＬＳ１がハイレベルのときには、インバータ１３からＬＥＤ１１のアノードに駆動電圧が供給されるとともに、駆動回路１２からコンポジット信号の振幅に応じた駆動電流が引き込まれ、それによりＬＥＤ１１からコンポジット信号の振幅に応じた強度の発光がなされる。一方、パルス信号ＰＬＳ１がロウレベルのときには、インバータ１３からＬＥＤ１１へ駆動電圧が供給されずにＬＥＤ１１の発光が停止されるようになっている。
【００３２】
また、パルス信号ＰＬＳ１がロウレベルの期間には、スイッチ回路１４がオフにされてＬＥＤ１１は無バイアス状態となり、外部からの光の入射によりＬＥＤ１１で発生する起電力（受信信号）がカソードからＮＯＲ回路１７に入力されて、この受信信号がＮＯＲ回路１７から内部回路に送られるようになっている。
【００３３】
一方、パルス信号ＰＬＳ１がハイレベルのときには、このパルス信号ＰＬＳ１によりＮＯＲ回路１７の入出力が遮断されてＬＥＤ１１のカソードからの入力信号が内部に送られないようになっている。なお、ＬＥＤ１１の受信信号が小さい場合には、ＬＥＤ１１のカソードとＮＯＲ回路１７との間にプリアンプを設け、プリアンプによりＬＥＤ１１の受信信号を増幅してＮＯＲ回路１７に入力されるようにしても良い。
【００３４】
第２通信機２０は、発光手段および受光手段として機能するＬＥＤ２１と、ＬＥＤ２１の受信信号からＶＣＸＯ１６の発振周波数の成分を除去するローパスフィルタ（第１フィルタ）２２と、ローパスフィルタ２２の出力を増幅するビデオアンプ２３と、ＬＥＤ２１の受信信号からＶＣＸＯ１６の発振周波数の成分をバンドパスフィルタ又はハイパスフィルタにより抽出してさらにＦＭ検波を行うＢＰＦ＆検波回路（第２フィルタおよび復調回路）２６と、ＢＰＦ＆検波回路２６の出力を増幅する音声アンプ２７と、ＬＥＤ２１の受信信号を受けてパルス信号ＰＬＳ２を生成するインバータ２５と、このパルス信号ＰＬＳ２と送信データとを入力して論理出力するＮＡＮＤ回路２８と、ＮＡＮＤ回路２８の出力に応じてＬＥＤ２１の駆動電圧を出力するインバータ２９と、ＮＡＮＤ回路２８の出力に応じてＬＥＤ２１とグランド端子との接続をオン・オフするスイッチ回路２４とを備え、ＬＥＤ２１のアノードにインバータ２９の出力端子が、ＬＥＤ２１のカソードにスイッチ回路２４、ローパスフィルタ２２、ＢＰＦ＆検波回路２６、ならびに、インバータ２５の入力端子がそれぞれ接続された構成となっている。
【００３５】
ＬＥＤ２１は、第１通信機１０のＬＥＤ１１と同一素子構造の同一部品であり、フォトダイオードと同様に第１通信機１０からの出射光を受光してその光量に応じた起電力を発生させることで入射された光信号を電気信号に変換する。ＬＥＤはフォトダイオードと比較して受信感度は低くなるものの、例えば、高輝度ＬＥＤを数十センチ離して光信号の送受信を行わせた場合、受信側のＬＥＤにおいて数百ｍＶの電気信号を発生させることが出来る。このようなＬＥＤ２１により、図２（Ｅ）に示すように、第１通信機１０から送られた光信号とほぼ同波形の信号を得ることが出来る。
【００３６】
そして、この受信信号がローパスフィルタ２２に入力されてＶＣＸＯ１６の発振周波数の成分が除去され、ビデオアンプ２３でゲイン調整されることでコンポジット信号が復元される。上述のように、ＶＣＸＯ１６の発振周波数はコンポジット信号の周波数帯域の上限周波数の２倍以上の周波数であるため、ローパスフィルタ２２の作用により映像信号の波形をほぼ劣化なく抽出することが出来る。
【００３７】
また、上記の受信信号がＢＰＦ＆検波回路２６に入力されて、そのフィルタ作用により図２（Ｃ）のパルス信号ＰＬＳ１の立ち上がりと立下りがなだらかにされたほぼ正弦波の信号、すなわち図２（Ｂ）のＶＣＸＯ１６の出力の反転信号とほぼ同一波形の信号が抽出される。そして、この信号がＦＭ検波されることでアナログの音声信号が復調される。
【００３８】
また、図２（Ｆ）に示すように、ＬＥＤ２１からの受信信号はインバータ２５に入力されることで、該インバータ２５により第１通信機１０のパルス信号ＰＬＳ１と同調したパルス信号ＰＬＳ２が生成される。インバータ２５の閾値電圧は、第１通信機１０のＬＥＤ１１が弱く発光しているときにもその発光時にターンオフするように低く設定されている。なお、ＬＥＤ２１の受信信号が小さすぎるときには、受信信号を増幅するプリアンプを設けて、該プリアンプにより増幅された信号がインバータ２５に入力されるように構成しても良い。
【００３９】
インバータ２５から出力されるパルス信号ＰＬＳ２は、第２通信機２０の送信期間と受信期間とを切り替えるように作用するものである。すなわち、パルス信号ＰＬＳ２がハイレベルの期間が送信期間に、ロウレベルの期間が受信期間とされる。
【００４０】
そして、図２（Ｇ），（Ｈ）に示すように、データの送信期間には、ＮＡＮＤ回路２８の一方の入力端子に入力された送信データがＮＡＮＤ回路２８を通過してインバータ２９に送られ、送信データがハイレベルのときにＬＥＤ２１に駆動電圧が出力される。さらに、これと同時にスイッチ回路２４がオンされてＬＥＤ２１に駆動電流が流れ、ＬＥＤ２１が発光するようになっている。ここで、送信データは、例えば、リモコンの操作内容を表わすコマンドコードなどであり、そのビットレートはパルス信号ＰＬＳ２の周波数に相当するビットレートと比べて小さなものである。
【００４１】
一方、送信データがロウレベルのときやパルス信号ＰＬＳ２がロウレベルとなる受信期間のときには、ＮＡＮＤ回路２８の出力はハイレベルに固定されてＬＥＤ２１に駆動電圧は供給されず、ＬＥＤ２１は発光されないようになっている。
【００４２】
これらにより、ＬＥＤ２１からは図２（Ｈ）に示すような第２光信号が出力され、これが第１通信機１０へ送られて、第１通信機１０の受信期間においてＬＥＤ１１により受光され、ＮＯＲ回路１７を介して内部回路に送られるようになっている。
【００４３】
以上のように、この実施の形態のＡＶ信号の伝送装置によれば、例えば、互いに離れたところに設置されているビデオ装置に第１通信機１０を、テレビ受像装置に第２通信機２０を接続して、ビデオ装置からテレビ受像装置へＡＶ信号を伝送して映像音声の視聴を行うことが出来るとともに、第２通信機２０にビデオ装置のリモコン受光器を接続して、リモコン信号を第２通信機２０と第１通信機１０を介してビデオ装置へ送るようにすることが出来る。これにより、ユーザは画像の視聴を行っているテレビ受像装置の側で楽な姿勢でリモコン操作を行うことが出来るという効果が奏される。
【００４４】
また、伝送されるＡＶ信号のうち、音声信号はＬＥＤ１１のオン・オフにより送信し、映像信号はＬＥＤ１１の発光強度により送信されるため、ＡＶ信号の送信側において映像信号と音声信号とを１つの信号に重畳する加算回路などが不要となり、回路の部品点数を減らすことが出来る。また、音声信号により変調されたパルス信号により送信期間と受信期間の切り換えを行って、ＡＶ信号の伝送方向と逆方向のデータ送信を行うとともに、このような逆方向の信号送信をＡＶ信号の伝送で用いられているＬＥＤ１１，２１の発光と受光機能とにより行っているため、ＡＶ信号の伝送のみを行う伝送装置と比べて、発光素子や受光素子の増設が不要で、回路も複雑にならず、製品コストの低減を図ることが出来る。
【００４５】
なお、本発明は、上記実施の形態に限られるものではなく、様々な変更が可能である。例えば、音声信号の変調方式として正弦波信号をＦＭ変調して矩形波に整形する方式を用いているが、変調により生成されるパルス信号の振幅やデューティ比があまり変化しない変調方式であれば、別の変調方式を用いても良い。
【００４６】
また、第１通信機１０と第２通信機２０において、それぞれ受信期間にＬＥＤ１１，２１が無バイアスになるようにして光受信を行う構成としているが、これらの期間にＬＥＤ１１，２１に逆バイアスが印加されるようにしても良いし、ＬＥＤ１１，２１で発生された起電力を電圧に変換する回路を設けてこの電圧を受信信号とするようにしても良い。また、第１通信機１０の駆動回路１２として、ＬＥＤ１１から電流を引き込む回路を例示したが、例えば、画像信号の振幅にほぼ比例した駆動電圧を生成してこの駆動電圧によりＬＥＤ１１に画像信号の振幅に応じた駆動電流が流れるように構成しても良い。
【００４７】
また、送受信される映像信号としてコンポジット信号を例示したが、輝度信号のみを送ったり、輝度信号と色信号とを別方式で重畳した独自の信号を送るようにしても良い。また、ＡＶ信号と逆方向に送られる送信データはリモコン信号に限られず、例えば、テレビ受像装置からＡＶ装置を制御するためのコマンドコードなど、種々の信号を送ることも出来る。その他、実施の形態で示した細部構造等は、発明の趣旨を逸脱しない範囲で適宜変更可能である。
【図面の簡単な説明】
【００４８】
【図１】本発明の実施の形態のＡＶ信号の伝送装置を示す回路構成図である。
【図２】伝送装置の各部の信号を説明する信号波形図である。
【符号の説明】
【００４９】
１０    第１通信機
１１    ＬＥＤ
１２    駆動回路
１３    インバータ
１４    スイッチ回路
１５    アンプ
１６    ＶＣＸＯ
１７    ＮＯＲ回路（入力回路）
２０    第２通信機
２１    ＬＥＤ
２２    ローパスフィルタ
２３    ビデオアンプ
２４    スイッチ回路
２５，２９  インバータ
２６    ＢＰＦ＆検波回路
２７    音声アンプ
２８    ＮＡＮＤ回路（論理回路）
【図１】
2006332848.tif 000003
【図２】
2006332848.tif 000004